(57)【要約】【課題】  多種のサイズのフィルムシートにも簡単に対応できることにより汎用性を向上させることができるフィルムシート枚葉機構及びこれを備えた熱現像記録装置を提供する。【解決手段】  フィルムシートＦを取り出す枚葉アーム３１０が、フィルム供給位置にて送りローラとの間にフィルムシートＦを挟み込み搬送するピンチローラを有するピンチローラホルダ６８と、フィルムシートＦを吸着保持するフィルム吸着手段と、を有し、ピンチローラホルダ６８とフィルム吸着手段との枚葉アーム３１０への取り付け孔位置を枚葉アーム３１０の移動方向で前後にずらした位置とし、取り付け孔をフィルムシートＦのサイズに応じて異なる位置に予め設けた構成とする。【選択図】  図２
2006082956.tif 000002
【特許請求の範囲】
【請求項１】
複数枚のカットシート状のフィルムシートを積載したトレイから、最上層のフィルムシートを一枚ずつ取り出して該フィルムシートの搬送方向下流側へ供給するフィルムシート枚葉機構であって、
前記トレイのフィルム取り出し位置と前記搬送方向下流側のフィルム供給位置との間を移動して、前記トレイ内の前記フィルムシートを取り出す枚葉アームと、前記フィルム供給位置に配置され該フィルムシートを搬送する送りローラと、を備え、
前記枚葉アームが、前記フィルム供給位置にて前記送りローラとの間にフィルムシートを挟み込み搬送するピンチローラが回転自在に軸支されるピンチローラホルダと、前記フィルムシートを吸着保持するフィルム吸着手段と、を有し、
前記ピンチローラホルダと前記フィルム吸着手段との前記枚葉アームへの取り付け孔位置を前記枚葉アームの移動方向で前後にずらした位置とし、前記取り付け孔が前記フィルムシートのサイズに応じて異なる位置に予め設けてあることを特徴とするフィルムシート枚葉機構。
【請求項２】
前記ピンチローラの軸線が、前記各フィルム吸着手段の中心線と一致していることを特徴とする請求項１記載のフィルムシート枚葉機構。
【請求項３】
前記ピンチローラの軸線が、前記各フィルム吸着手段の中心線よりも前記フィルムシートの搬送方向前方に配置されていることを特徴とする請求項１記載のフィルムシート枚葉機構。
【請求項４】
前記ピンチローラホルダが、前記枚葉アームの移動方向に対する前記ピンチローラホルダの重心位置で、前記枚葉アームに上下動自在に取り付けられていることを特徴とする請求項１〜請求項３のいずれか１項記載のフィルムシート枚葉機構。
【請求項５】
前記ピンチローラホルダが、前記ピンチローラに加えて前記フィルムシートに当接する押さえローラを更に備えていることを特徴とする請求項１〜請求項４のいずれか１項記載のフィルムシート枚葉機構。
【請求項６】
前記フィルム吸着手段に接続された負圧を印加するための配管ホースが前記枚葉アームに配設され、該配管ホースが、前記フィルム吸着手段のフィルムサイズ毎に設定された各取り付け位置で分岐栓を接続させており、前記フィルム吸着手段が取り付けられた位置に対しては、前記分岐栓の出口を前記フィルム吸着手段に接続し、前記フィルム吸着手段が取り付けられていない位置に対しては、前記分岐栓の出口を閉塞してあることを特徴とする請求項１〜請求項５のいずれか１項記載のフィルムシート枚葉機構。
【請求項７】
前記枚葉アームの一部に前記ピンチローラホルダの昇降動作を検出するセンサを設け、前記ピンチローラホルダに前記センサを感応させるドグを配置したことを特徴とする請求項１〜請求項６のいずれか１項記載のフィルムシート枚葉機構。
【請求項８】
熱現像感光材料又は感光感熱記録材料からなる熱現像記録材料を露光して潜像を形成する露光部と、該潜像の形成された熱現像記録材料を加熱して熱現像を行う熱現像部とを少なくとも備えた熱現像記録装置であって、
前記露光部に前記熱現像記録材料を供給する機構が、請求項１〜請求項７のいずれか１項記載のフィルムシート枚葉機構からなることを特徴とする熱現像記録装置。
【発明の詳細な説明】
【技術分野】
【０００１】
本発明は、フィルムシートを取り出す際に用いるフィルムシート枚葉機構及びこれを備えた熱現像記録装置に関する。
【背景技術】
【０００２】
従来の熱現像記録装置の一例として、熱現像感光材料又は感光感熱記録材料からなる熱現像記録材料を露光して潜像を形成する露光部と、該潜像の形成された熱現像記録材料を加熱して熱現像を行う熱現像部とを備えた熱現像記録装置が知られている（例えば特許文献１参照）。
【特許文献１】特開２００４−１４８６６２号公報
【発明の開示】
【発明が解決しようとする課題】
【０００３】
ところが、上記特許文献１では、図１１（ａ）に示すように、フィルム枚葉機構に、半切サイズ（３５６ｍｍ×４３２ｍｍ）のフィルムシートＦ１や、六つ切サイズ（２０３〜２５４ｍｍ）のフィルムシートＦ２等が用いられる。その場合、一対の吸着部材５０２Ａ，５０２Ｂ及びピンチローラ５０４を支持するピンチローラホルダ５０６が六つ切サイズに対応させた装置に、図１１（ｂ）に示すように、半切サイズのフィルムシートＦ１が収容されると、吸着部材５０２Ａ，５０２Ｂの長手方向の寸法が、フィルムシートＦ１の幅に対して短くなり、フィルムシート５００の支持されない端部が垂れて、送りローラまで搬送することができない。また、同一サイズのフィルムシートであっても、トレイに装填する向きによって同様な事態が生じることとなる。
【０００４】
逆に、吸着部材５０２Ａ，５０２Ｂ及びピンチローラホルダ５０６が半切サイズに対応している装置のトレイに、六つ切サイズのフィルムシートＦ２が収容されると、吸着部材５０２Ａ，５０２Ｂの長さ寸法が、フィルムシートＦ２の長さを超えてはみ出してしまい、そのフィルムシートＦ２を確実に吸着できなくなる。このため、同様にして送りローラまで搬送することができなくなる。
【０００５】
そのため、半切サイズ用のフィルム枚葉機構と、六つ切サイズ用のフィルム枚葉機構と、を別途用意してフィルムシートのサイズ毎に組み替えることで対処していた。このため、サイズ毎の組み替えが煩雑であり、装置の取り扱いが面倒であった。
また、吸着部材やピンローラを支えているアームに、予め、半切用、六つ切用と、数種類の吸着部材やピンローラ取り付け用の孔を開けておき、それらを用いて異なるフィルムシートサイズに応じて位置を変更することも考えられる。しかし実際には、吸着部材への配管用の孔も同様に変更しなければならず、配管用の各孔位置が互いに近くなるため、孔を開けるスペースを確保できず、実現し難かった。
【０００６】
本発明は、上述した事情に鑑みてなされたものであり、その目的は、多種のサイズや向きの異なるフィルムシートに簡単に対応でき、汎用性を向上させたフィルムシート枚葉機構及びこれを備えた熱現像記録装置を提供することにある。
【課題を解決するための手段】
【０００７】
本発明の上記目的は下記構成により達成される。
（１）  複数枚のカットシート状のフィルムシートを積載したトレイから、最上層のフィルムシートを一枚ずつ取り出して該フィルムシートの搬送方向下流側へ供給するフィルムシート枚葉機構であって、前記トレイのフィルム取り出し位置と前記搬送方向下流側のフィルム供給位置との間を移動して、前記トレイ内の前記フィルムシートを取り出す枚葉アームと、前記フィルム供給位置に配置され該フィルムシートを搬送する送りローラと、を備え、前記枚葉アームが、前記フィルム供給位置にて前記送りローラとの間にフィルムシートを挟み込み搬送するピンチローラが回転自在に軸支されるピンチローラホルダと、前記フィルムシートを吸着保持するフィルム吸着手段と、を有し、前記ピンチローラホルダと前記フィルム吸着手段との前記枚葉アームへの取り付け孔位置を前記枚葉アームの移動方向で前後にずらした位置とし、前記取り付け孔が前記フィルムシートのサイズに応じて異なる位置に予め設けてあることを特徴とするフィルムシート枚葉機構。
【０００８】
このフィルムシート枚葉機構によれば、ピンチローラホルダとフィルム吸着手段との枚葉アームへの取り付け孔位置を枚葉アームの移動方向で前後にずらした位置とし、取り付け孔をフィルムシートのサイズに応じて異なる位置に予め設けることにより、枚葉アーム上でのフィルム吸着手段とピンチローラとの配置に自由度が増し、機能重視での配置が可能になる。また、フィルム吸着手段とピンチローラとの配置組み合わせが複数種類になるので、フィルムシート枚葉機構の部品配置変更により複数のフィルムサイズに対応できる。また、フィルム吸着手段とピンチローラとを多数配置できるので、取り出し時におけるフィルムシートの湾曲度を増大させることができ、その結果、同時に複数枚を保持した場合の２枚目以降のフィルムシートに対する剥離性を向上できる。従って、多種のサイズのフィルムシートに簡単に対応することができ、フィルムシート枚葉機構の汎用性が向上する。
【０００９】
（２）  前記ピンチローラの軸線が、前記各フィルム吸着手段の中心線と一致していることを特徴とする（１）に記載のフィルムシート枚葉機構。
【００１０】
このフィルムシート枚葉機構によれば、ピンチローラの軸線を各フィルム吸着手段の中心線に一致させることにより、枚葉アームの長手方向に沿った取り付け位置をフィルム吸着手段とピンチローラホルダとで共用でき、配置自由度が高められる。
【００１１】
（３）  前記ピンチローラの軸線が、前記各フィルム吸着手段の中心線よりも前記フィルムシートの搬送方向前方に配置されていることを特徴とする（１）記載のフィルムシート枚葉機構。
【００１２】
このフィルムシート枚葉機構によれば、ピンチローラの軸線を各フィルム吸着手段の中心線よりもフィルムシートの搬送方向前方に配置することにより、送りローラに当接するピンチローラがピンチローラの重心位置よりも必然的に前方となり、それによって、フィルムシートを吸着して取り出した後に送りローラに当接した際に、モーメントの増加により押し当て力が増え、送りローラによる送りがフィルムシートに確実に伝達され、送りローラへの巻き付け搬送による搬送動作を安定化させることができる。
【００１３】
（４）  前記ピンチローラホルダが、前記枚葉アームの移動方向に対する前記ピンチローラホルダの重心位置で、前記枚葉アームに上下動自在に取り付けられていることを特徴とする（１）〜（３）のいずれか１項記載のフィルムシート枚葉機構。
【００１４】
このフィルムシート枚葉機構によれば、枚葉アームの移動方向に対するピンチローラホルダの重心位置においてピンチローラホルダが枚葉アームに上下動自在に取り付けられているために、ピンチローラホルダの上下動作を円滑にできる。
【００１５】
（５）  前記ピンチローラホルダが、前記ピンチローラに加えて前記フィルムシートに当接する押さえローラを更に備えていることを特徴とする（１）〜（４）のいずれか１項記載のフィルムシート枚葉機構。
【００１６】
このフィルムシート枚葉機構によれば、フィルムシートに当接する押さえローラをピンチローラに加えて更に備えることにより、フィルムシートの表面に安定した状態で当接するようになり、フィルム表面の検知とフィルムシートの吸着がより確実に行えるようになる。
【００１７】
（６）  前記フィルム吸着手段に接続された負圧を印加するための配管ホースが前記枚葉アームに配設され、該配管ホースが、前記フィルム吸着手段のフィルムサイズ毎に設定された各取り付け位置で分岐栓を接続させており、前記フィルム吸着手段が取り付けられた位置に対しては、前記分岐栓の出口を前記フィルム吸着手段に接続し、前記フィルム吸着手段が取り付けられていない位置に対しては、前記分岐栓の出口を閉塞してあることを特徴とする（１）〜（５）のいずれか１項記載のフィルムシート枚葉機構。
【００１８】
このフィルムシート枚葉機構によれば、フィルム吸着手段が取り付けられた位置では、分岐栓の出口をフィルム吸着手段に接続し、フィルム吸着手段が取り付けられていない位置では、分岐栓の出口を閉塞することにより、フィルムシートのサイズが変更された際に、配管ホース自体を交換することなく、フィルム吸着手段を簡単に付け替えることができるので、取り扱い性が大きく向上する。
【００１９】
（７）  前記枚葉アームの一部に前記ピンチローラホルダの昇降動作を検出するセンサを設け、前記ピンチローラホルダに前記センサを感応させるドグを配置したことを特徴とする（１）〜（６）のいずれか１項記載のフィルムシート枚葉機構。
【００２０】
このフィルムシート枚葉機構によれば、ピンチローラホルダに配置したドグがピンチローラホルダとともに昇降動作する際に、センサがピンチローラホルダの昇降動作を検出することにより、フィルムシートにおける表面検知、吸着終了位置検知、吸着ミス検知、或いはフィルムシート残量無し検知等の複数の状態検知を行うことができる。
【００２１】
（８）  熱現像感光材料又は感光感熱記録材料からなる熱現像記録材料を露光して潜像を形成する露光部と、該潜像の形成された熱現像記録材料を加熱して熱現像を行う熱現像部とを少なくとも備えた熱現像記録装置であって、前記露光部に前記熱現像記録材料を供給する機構が、上記（１）〜（７）のいずれか１項記載のフィルムシート枚葉機構からなることを特徴とする熱現像記録装置。
【００２２】
この熱現像記録装置によれば、多種のサイズのフィルムシートにも簡単に対応できる汎用性が向上したフィルムシート枚葉機構を備えることで、熱現像記録装置のフィルムシートの取り扱いを簡単化できる構成となり、装置の使い勝手が向上する。
【発明の効果】
【００２３】
本発明のフィルムシート枚葉機構及びこれを備えた熱現像記録装置によれば、枚葉アームに対し、ピンチローラホルダとフィルム吸着手段をフィルムサイズや向きに応じて適宜位置を変更して組み付けることができるため、複数種のフィルム枚葉機構を予め用意することなく、同一の枚葉アームを使用してサイズ毎の組み替えを行うだけで多種のサイズや向きの異なるフィルムシートに対応できるようになる。もって、取り扱いが簡単になり、汎用性を向上させることができる。
【発明を実施するための最良の形態】
【００２４】
以下、本発明に係るフィルムシート枚葉機構及びこれを備えた熱現像記録装置の好適な実施の形態について、図面を参照して詳細に説明する。
図１は本発明に係るフィルムシート枚葉機構及びこれを備えた熱現像記録装置の一実施形態を示す熱現像記録装置の全体構造図である。
【００２５】
まず、熱現像装置全体の構成から説明する。
図１に示すように、本発明の一実施形態であるフィルムシート枚葉機構３００が用いられる熱現像記録装置１００は、熱現像記録材料であるフィルムシートＦの搬送方向順に、熱現像記録材料供給部Ａと、画像露光部Ｂと、熱現像部Ｃと、冷却部Ｄとを備えており、また、各部間の要所に設けられフィルムシートＦを搬送するための搬送手段と、各部を駆動し制御する電源／制御部Ｅとを備えている。
【００２６】
また、上記熱現像記録装置１００は、最下段に電源／制御部Ｅ、その上段に熱現像記録材料供給部Ａ、さらにその上段に画像露光部Ｂと熱現像部Ｃと冷却部Ｄとを配置した構成となっており、画像露光部Ｂと熱現像部Ｃとを隣接させた配置としている。
【００２７】
フィルムシートＦとしては、前述の熱現像感光材料又は感光感熱記録材料等を使用することができる。熱現像感光材料は、光ビーム（例えば、レーザビーム）によって画像を記録（露光）し、その後、熱現像して発色させる記録材料である。また、感光感熱記録材料は、光ビームによって画像を記録し、その後、熱現像して発色させるか、或いは、レーザビームのヒートモード（熱）によって画像を記録すると同時に発色させ、その後、光照射で定着する記録材料である。
【００２８】
熱現像記録材料供給部Ａは、フィルムシートＦを一枚ずつ取り出して、フィルムシートＦの搬送方向の下流に位置する画像露光部Ｂに供給する部分であり、三つの装填部１２，１４，１６と、各装填部１２，１４，１６にそれぞれ配置されるフィルムシート枚葉機構３００と、各フィルムシート枚葉機構３００に備えられたピンチローラ１８に対向配置されて対をなす送りローラ２０と、不図示の搬送ローラや搬送ガイド等を有して構成される。また、三段構成となっている各装填部１２，１４，１６の内部には、半切サイズ、六つ切サイズ等の大きさや向きの異なるフィルムシートＦが収容されたフィルム装填マガジン２２がマガジン受けであるトレイ２４，２６，２８内にそれぞれ収納され、各段に装填されたサイズや向きのフィルムシートＦのいずれかを選択的に使用できるようにしている。
【００２９】
フィルムシートＦは、カットシート状に加工され、通常、１５０枚等の所定単位の積層体（束）とされてフィルム装填マガジン２２内にそれぞれ配置され、熱現像記録材料供給部Ａの各段に装填される。
【００３０】
画像露光部Ｂは、熱現像記録材料供給部Ａから搬送されてきたフィルムシートＦに対して光ビームＬＢを主走査方向に走査露光し、また、主走査方向に略直交する副走査方向（即ち、搬送方向）に搬送することで、所望の画像をフィルムシートＦに記録して潜像を形成する。
【００３１】
熱現像部Ｃは、走査露光後のフィルムシートＦを搬送しながら昇温処理して、熱現像を行う。そして、冷却部Ｄにおいて現像処理後のフィルムシートＦを冷却して、排出トレイ３０に搬出する。
【００３２】
ここで、熱現像記録材料供給部Ａと画像露光部Ｂとの間の搬送路には幅寄せ機構３２，３４が設けられており、熱現像記録材料供給部Ａから搬入されてきたフィルムシートＦを、その幅方向端部を揃えた状態で画像露光部Ｂへ供給している。
【００３３】
次に、画像露光部Ｂについて具体的に説明する。
画像露光部Ｂは、光ビーム走査露光によってフィルムシートＦを露光する部位であり、熱現像材料の搬送面からのばたつきを防止しつつ搬送するばたつき防止機構を有した副走査搬送部（副走査手段）３６と、走査露光部（レーザ照射手段）３８とを備えている。走査露光部３８は、別途用意された画像データに従ってレーザの出力を制御しつつ、このレーザを走査（主走査）させる。このときフィルムシートＦを副走査搬送部３６によって副走査方向に移動させる。
【００３４】
副走査搬送部３６は、照射するレーザ光の主走査ラインを挟んで、軸線がこの走査ラインに対して略平行に配置された２本の駆動ローラ４０，４２と、これら駆動ローラ４０，４２に対向して配置され、フィルムシートＦを支持するガイド板４４と、を備えている。ガイド板４４は、各駆動ローラ４０，４２との間に挿入されるフィルムシートＦを、並設されたこれら駆動ローラ同士間の外側で該駆動ローラ周面の一部に沿って撓ませて、駆動ローラ同士間でフィルムシートＦの撓みによる弾性反発力を当接して受け止めるようにしている。
【００３５】
この撓みによりフィルムシートＦ自身に弾性反発力が発生する。この弾性反発力により、フィルムシートＦと駆動ローラ４０，４２との間に所定の摩擦力が生じ、駆動ローラ４０，４２からフィルムシートＦへ確実に搬送駆動力が伝達されて、フィルムシートＦが搬送されるようになる。従って、フィルムシートＦの搬送面からのばたつき、即ち、上下方向のばたつきが確実に抑制される。この駆動ローラ同士間のフィルムシートＦに向けてレーザ光を照射することで、露光位置ずれのない良好な記録が行えることになる。なお、駆動ローラ４０，４２は、図示しないモータ等の駆動手段の駆動力を、歯車やベルト等の伝達手段を介して受け、図１中の時計回転方向へ回転するようになっている。
【００３６】
次に、熱現像部Ｃについて説明する。
熱現像部Ｃは、熱処理を適用されるタイプの被熱処理熱現像記録材料を加熱するものであり、構成としては、フィルムシートＦを処理するのに必要な温度となる加熱体としての熱現像記録材料の移送方向に並ぶ複数のプレートヒータ４６，４８，５０を湾曲させ、かつ、これらプレートヒータ４６，４８，５０を一連の円弧状配置としている。
【００３７】
即ち、これらプレートヒータ４６，４８，５０を含む熱現像部Ｃの構成としては、図示されるように、各プレートヒータに凹面を設け、フィルムシートＦをプレートヒータの凹面に対して接触させつつ滑らせて、相対的に移動させる。このときのフィルムシートＦの移送手段として、供給ローラ５２と、各プレートヒータからフィルムシートＦへの伝熱用でもある複数の押さえローラ５４と、を配設している。
【００３８】
押さえローラ５４は、歯車５６に噛合して歯車５６の回転に従動して回転駆動される。これら押さえローラ５４としては、金属ローラ、樹脂ローラ、ゴムローラ等が利用できる。この構成により、搬送されるフィルムシートＦがプレートヒータ４６，４８，５０に押し付けられつつ搬送されるので、フィルムシートＦの座屈が防止される。なお、上記の湾曲プレートヒータは一例であり、この他、加熱手段としては平坦なプレートヒータや加熱ドラム等を用いる構成であってもよい。
【００３９】
熱現像部Ｃ内におけるフィルムシートＦの搬送路の終端には、フィルムシートＦを移送する排出ローラ５８が配設されている。そして、熱現像部Ｃから搬出されたフィルムシートＦは、冷却部Ｄによってシワが発生しないように、かつ湾曲ぐせが付かないように注意しながら冷却される。冷却部Ｄから排出されたフィルムシートＦは搬送路途中に設けられた冷却ローラ対６０によりガイドプレート６２内に案内され、さらに、排出ローラ対６４から排出トレイ３０に排出される。
【００４０】
このように冷却部Ｄ内には、複数の冷却ローラ対６０がフィルムシートＦの搬送経路に所望の一定曲率Ｒを与えるように配置されている。これは、フィルムシートＦがその材料のガラス転移点以下に冷却されるまで一定の曲率Ｒにより搬送されるということであり、このように意図的に熱現像記録材料に曲率を付けることで、ガラス転移点以下に冷却される前に余計なカールが付かなくなり、ガラス転移点以下となれば、新たなカールが付くこともなく、カール量がばらつかない。
【００４１】
また、冷却ローラ自体及び冷却部Ｄの内部雰囲気を温度調節している。このような温度調節は、熱処理装置の立ち上げ直後と十分にランニングを行った後との状態をなるべく同様なものにし、濃度変動を小さくすることができる。
【００４２】
続いて、本発明に係るフィルムシート枚葉機構３００について詳細に説明する。
図２はトレイ２４，２６，２８の側部に組み付けられたフィルムシート枚葉機構３００を示す外観斜視図である。なお、トレイ２４，２６，２８に組み付けられているフィルムシート枚葉機構３００，３００，３００は、いずれも同一構造であるために、ここでは、最上段のトレイ２４に組み付けられたフィルムシート枚葉機構３００を例に説明する。
【００４３】
図２に示すように、トレイ２４は、有底で上方が開放された箱形状に形成されており、トレイ２４両側方に配されたトレイスライド機構（不図示）を介して装填部（図１参照）１２に水平方向に引き出し自在に装着されている。
【００４４】
フィルムシート枚葉機構３００は、トレイ２４の一側部の上方に配置されており、トレイ２４内に積載されているフィルムシートＦを取り出す枚葉アーム３１０と、トレイ２４との間に枚葉アーム３１０をフィルム取り出し位置とフィルム供給位置とに移動させるアーム移動手段３３０Ａ，３３０Ｂ、及び昇降動支持機構３４０Ａ，３４０Ｂとを有する。枚葉アーム３１０には、フィルム吸着手段（詳細は図３に示す）３２０Ａ，３２０Ｂとピンチローラホルダ６８とが備えられている。
【００４５】
次に、枚葉アーム３１０について説明する。
図３は枚葉アームの外観斜視図であって、（ａ）は図２のＧ方向から見た図で、（ｂ）は（ａ）に示す枚葉アームを裏側から見た図である。
【００４６】
図３（ａ）に示すように、枚葉アーム３１０は、ステー７０を有し、このステー７０の中央部にピンチローラホルダ６８を組み付けており、ステー７０の両側部に一対のフィルム吸着手段３２０Ａ，３２０Ｂを組み付けている。
【００４７】
ピンチローラホルダ６８は、Ｌ字形状の基板７２の天部に２本の枢支軸７４Ａ，７４Ｂが垂直に固定されており、２本の枢支軸７４Ａ，７４Ｂがステー７０を貫通して、ステー７０の下方側でその先端部にローラ支持部材７６がねじ止されることで、ステー７０に対して上下に移動可能に支持されている。このとき、ピンチローラホルダ６８は、ステー７０の中央部に位置するピンチローラホルダ第１取り付け部７８に組み付けられている。ステー７０では、図３（ａ）中の中央部から左方寄りにピンチローラホルダ第２取り付け部８０が位置している。
【００４８】
フィルム吸着手段３２０Ａ，３２０Ｂは、ゴム製の吸盤部材であり、枚葉アーム３１０がフィルム取り出し位置に到達したときに、ステー７０に固定されたモータ８２の駆動により、このモータ８２に結合されたポンプ８４に発生する負圧が印加されることにより、フィルムシートＦを吸着保持する。
【００４９】
図３において、フィルム吸着手段３２０Ａ，３２０Ｂは、ステー７０の両端部に位置する吸着手段第１取り付け部８６に組み付けられている。またステー７０には、図３（ａ）中においてステー７０の左端部に設けられた吸着手段第１取り付け部８６を一方の吸着手段第２取り付け部８８として共用するものとし、中央部に他方の吸着手段第２取り付け部８８が位置されている。
【００５０】
そして、各フィルム吸着手段３２０Ａ，３２０Ｂは、複数の配管ホース９０を通じてポンプ８４に連通接続されている。配管ホース９０は、ポンプ８４側の第１ホース９２と、この第１ホース９２の端部にＴ字型のジョイント９４を通じてステー７０の板方向にそれぞれ分岐された第２，第３ホース９６，９８と、を有する。第２ホース９６は、図３（ａ）中の右方側に配置されており、第２ホース９６の中央部に設けられた分岐部１０１の出口がフィルム吸着手段３２０Ｂに連通接続され、右端部の出口が蓋１０２によって閉塞されている。第３ホース９８は、図３（ａ）中の左方側に配置されており、第３ホース９８の右端側に設けられた分岐部１０４の出口が蓋１０２によって閉塞され、左端側に設けられた分岐部１０６の出口がフィルム吸着手段３２０Ａに連通接続され、左端部の出口が蓋１０２によって閉塞されている。
【００５１】
枚葉アーム３１０の両端部には、枚葉アーム３１０をフィルム取り出し位置とフィルム供給位置との間で移動させるアーム移動手段（図２参照）３３０Ａ，３３０Ｂを介して、枚葉アーム３１０を移動させる昇降動支持機構３４０Ａ，３４０Ｂが接続されている。
【００５２】
図３（ｂ）に示すように、ピンチローラホルダ６８のローラ支持部材７６には、ピンチローラ１８と、押圧ローラ１０８とが並列して回転自在に組み付けられている。
【００５３】
次に、フィルムシート枚葉機構３００の動作について説明する。
図４はフィルムシート枚葉機構の動作説明図であって、（ａ）はフィルム供給位置、（ｂ）はフィルム取り出し位置、（ｃ）はフィルム取り出し位置からフィルム供給位置まで移動したときの図である。
【００５４】
図４（ａ）に示すように、枚葉アーム３１０がイニシャル位置であるフィルム供給位置にあると、ピンチローラホルダ６８は自重によりステー７０に対して降下位置にあり、ピンチローラ１８及び押圧ローラ１０８が各フィルム吸着手段３２０Ａ，３２０Ｂの下端面よりも下方に突出して配置されている。このとき、ピンチローラ１８は送りローラ２０に従動可能に当接している。
【００５５】
図４（ｂ）に示すように、アーム移動手段３３０Ａ，３３０Ｂの駆動によって枚葉アーム３１０がフィルム取り出し位置に到達すると、モータ８２が駆動されてポンプ８４に発生する負圧により、各フィルム吸着手段３２０Ａ，３２０Ｂがトレイ２４内に積載されているフィルムシートＦの最上層の１枚のフィルムシートＦを吸着保持する。このとき、トレイ２４内に積載されているフィルムシートＦ上にピンチローラ１８及び押圧ローラ１０８が当接した後に、各フィルム吸着手段３２０Ａ，３２０Ｂの下端面がフィルムシートＦに当接し始め、吸着動作が開始され、ピンチローラ１８及び押圧ローラ１０８とフィルム吸着手段３２０Ａ，３２０Ｂとの上下位置関係が逆転する直前で枚葉アーム３１０の降下が停止する。
【００５６】
次いで、図４（ｃ）に示すように、各フィルム吸着手段３２０Ａ，３２０Ｂが１枚のフィルムシートＦを吸着保持したまま、アーム移動手段３３０Ａ，３３０Ｂの駆動によって枚葉アーム３１０がフィルム取り出し位置からフィルム供給位置に移動され、そこで、ピンチローラ１８が送りローラ２０の上方側に配置される。この状態で送りローラ２０を回転するとともに、フィルム吸着手段３２０Ａ，３２０Ｂによる吸引を停止することによって、フィルムシートＦが下流側へと搬送される。
上記のように、押圧ローラ１０８によりフィルムシートＦの表面検知性及びフィルムシートＦへの吸着性を安定させることができる。
【００５７】
次に、枚葉アーム３１０における各フィルム吸着手段３２０Ａ，３２０Ｂとピンチローラ１８及び押圧ローラ１０８との位置関係について説明する。
図５に枚葉アーム３１０の上視図を示した。
【００５８】
図５に示すように、ピンチローラ１８の軸線は、各フィルム吸着手段３２０Ａ，３２０Ｂの中心線（Ａ−Ａ線）に一致して配置されている。これにより、枚葉アーム３１０の搬送方向の寸法を小さくできるので、外形をコンパクトにすることができる。また、送りローラ２０への巻き付け搬送による搬送動作を安定化することができる。
【００５９】
また、各フィルム吸着手段３２０Ａ，３２０Ｂの中心線（Ａ−Ａ線）及びピンチローラ１８の軸線は、ピンチローラホルダ６８を支持する枢支軸７４Ａ，７４Ｂを結ぶ線（Ｂ−Ｂ線）に対してずれて配置されている。これにより、ピンチローラホルダ６８の中心線Ｃ−Ｃに対して等距離Ｌ１，Ｌ１の位置、即ち、ピンチローラホルダ６８は重心位置で支持される。このため、昇降動作が円滑となり、フィルムシートＦの表面検知性及びフィルムシートＦの吸着性が安定する
【００６０】
なお、ピンチローラ１８の軸線は、各フィルム吸着手段３２０Ａ，３２０Ｂの中心線（Ａ−Ａ線）よりもフィルムシートＦの搬送方向前方に配置されていても良い。そうすれば、固定側の送りローラ２０に当接するピンチローラ１８が、ピンチローラホルダ６８の重心位置よりも必然的に前方となり、それによって、フィルムシートＦを吸着して取り出した後に送りローラ２０に当接した際に、モーメントが増加するために押し当て力が増えて、送りローラ２０による送りがフィルムシートＦに確実に伝達され、送りローラ２０への巻き付け搬送による搬送動作を安定化することができる。
【００６１】
次に、フィルム吸着手段３２０Ａ，３２０Ｂ及びピンチローラホルダ６８の取り付け位置の変更について説明する。
図６は枚葉アームの外観斜視図であって、（ａ）はフィルム吸着手段及びピンチローラホルダの第１取り付け位置における状態、（ｂ）は第２取り付け位置における状態を示す図である。
【００６２】
図６（ａ）に示すように、ステー７０に配設された吸着手段第１取り付け部８６及び吸着手段第２取り付け部８８には、フィルム吸着手段３２０Ａ，３２０Ｂ支持用の一対ずつの取り付け孔１１０Ａ，１１０Ｂがそれぞれ設けられている。また、ステー７０に配設されたピンチローラ第１取り付け部７８及びピンチローラ第２取り付け部８０には、一対ずつの枢支軸挿通孔１１２Ａ，１１２Ｂがそれぞれ設けられている。そして、吸着手段第１取り付け部８６に各取り付け孔１１０Ａ，１１０Ｂを介して各フィルム吸着手段３２０Ａ，３２０Ｂが取り付けられ、ピンチローラホルダ第１取り付け部７８に各枢支軸挿通孔１１２Ａ，１１２Ｂを介してピンチローラホルダ６８が取り付けられることにより、中央部に配置されたピンチローラホルダ６８から長さＬ２，Ｌ２をおいて各フィルム吸着手段３２０Ａ，３２０Ｂが配置される。
【００６３】
一方、第２の取り付け位置においては、図６（ｂ）に示すようになる。
枚葉アーム３１０の吸着手段第２取り付け部８８に各フィルム吸着手段３２０Ａ，３２０Ｂが取り付けられ、ピンチローラホルダ第２取り付け部８０にピンチローラホルダ６８が取り付けられる。これにより、ピンチローラホルダ６８から最小の長さＬ３，Ｌ３をおいて各フィルム吸着手段３２０Ａ，３２０Ｂが配置される。このように、ピンチローラホルダ６８とフィルム吸着手段３２０Ａ，３２０Ｂの枚葉アーム３１０への取り付け孔１１０Ａ，１１０Ｂと、１１２Ａ，１１２Ｂの位置を枚葉アーム３１０の移動方向で前後にずらした位置とし、各取り付け孔１１０Ａ，１１０Ｂ、各枢支軸挿通孔１１２Ａ，１１２ＢをフィルムシートＦのサイズに応じて異なる位置に予め設けておくことにより、枚葉アーム３１０上でのフィルム吸着手段３２０Ａ，３２０Ｂとピンチローラホルダ６８との配置位置に自由度が増す。また、フィルム吸着手段３２０Ａ，３２０Ｂとピンチローラホルダ６８との配置組み合わせが複数種類になるので、アッセンブリ内での配置交換により複数のサイズに簡単に対応できる。
【００６４】
上記のように、枚葉アーム３１０に対して、フィルム吸着手段３２０Ａ，３２０Ｂ及びピンチローラホルダ６８の取り付け位置を変更可能にすることで、次に示す状況に的確に対応することができる。
図７は第１取り付け位置でのトレイとの位置関係を示す説明図、図８は第２取り付け位置でのトレイとの位置関係を示す説明図である。
【００６５】
図７に示すように、例えばトレイ２４内に半切サイズのフィルムシートＦ１が収容される場合には、吸着手段第１取り付け部８６が選択されて、枚葉アーム３１０の選ばれた各位置に各フィルム吸着手段３２０Ａ，３２０Ｂが取り付けられる。また、ピンチローラホルダ第１取り付け部７８が選ばれて、その位置にピンチローラホルダ６８が取り付けられる。これにより、フィルム吸着手段３２０Ａ，３２０Ｂが必要十分の長さＬ２，Ｌ２を置いて配置されるので、半切サイズのフィルムシートＦ１の端部に垂れを生じないようにして確実に吸着を行うことができる。
【００６６】
一方、図８に示すように、トレイ２４内六つ切サイズのフィルムシートＦ２が収容される場合には、吸着手段第２取り付け部８８が選択されて、枚葉アーム１０の選ばれた各位置に各フィルム吸着手段３２０Ａ，３２０Ｂが取り付けられる。また、ピンチローラホルダ第２取り付け部８０が選ばれて、その位置にピンチローラホルダ６８が取り付けられる。これにより、フィルム吸着手段３２０Ａ，３２０Ｂが図７に示すＬ２より短い長さＬ３，Ｌ３を置いて配置されるので、六つ切サイズのフィルムシートＦ２の端部からフィルム吸着手段３２０Ａ，３２０Ｂがはみ出さないようにして、確実な吸着を行うことができる。
このように、一組のフィルムシート吸着手段３２０Ａ，３２０Ｂとピンチローラホルダ６８とを適宜配置位置を変更することで、複数のサイズや向きのフィルムシートに対し、同一構造の枚葉アーム３１０で兼用して使用することができる。
【００６７】
次に、ピンチローラホルダ６８に対するより詳細な構成について説明する。
図９（ａ）はピンチローラホルダ６８の上昇位置での外観斜視図、図９（ｂ）はピンチローラホルダ６８の降下位置での外観斜視図である。
【００６８】
ピンチローラホルダ６８は、枚葉アーム３１０のステー７０に対する高さセンサを備えており、この高さセンサの出力によって、吸着タイミングやローラの駆動タイミング等を設定している。
図９（ａ）に示すように、ステー７０のピンチローラホルダ第１取り付け部７８には、センサであるフォトカプラ１１４がベース１１５を介してボルト１１６によりステー７０に固定されている。このフォトカプラ１１４のセンシング領域内に挿通可能にして、ドグ１１８がＬ字形の基板７２の側部に突出して形成されている。フォトカプラ１１４は、電源／制御部Ｅ（図１参照）に電気的に接続される。
【００６９】
高さセンサによる動作は、次のようになる。
図９（ａ）に示すように、枚葉アーム３１０がフィルムシートＦや送りローラ２０と接触しない位置にあると、ピンチローラホルダ６８は、自重によりステー７０に対して降下位置にあるために、ドグ１１８はフォトカプラ１１４のセンシング部から離れた位置となり、フォトカプラ１１４はドグ１１８を検出しない。
【００７０】
そして、図９（ｂ）に示すように、枚葉アーム３１０がフィルム取り出し位置に到達すると、ピンチローラ１８及び押圧ローラ１０８がトレイ２４内に積載されているフィルムシートＦの最上層の１枚に当接する。このとき、ピンチローラホルダ６８がステー７０に対して相対的に上昇する。すると、フォトカプラ１１４がドグ１１８を検出して電気信号を発生する。これにより、フォトカプラ１１４が電気信号を発生し始めた位置を、フィルムシートＦの表面検知位置とすることができる。また、さらに上昇を続けてドグ１１８がフォトカプラ１１４のセンシング領域内から外れたときに、フィルム吸着手段３２０Ａ，３２０Ｂによる吸着終了位置とすることができる。
【００７１】
そして、枚葉アーム３１０がフィルム取り出し位置に到達しても、フォトカプラ１１４がドグ１１８を検出しない場合、ピンチローラホルダ６８はステー７０に対して降下位置にあるか、或いは所定の高さ位置まで到達していない状態であるので、フィルムシートＦが無いことを検知することができる。また、フィルム吸着後に枚葉アーム３１０を上昇させた位置では、フィルムシートＦの端部がフィルム吸着手段３２０Ａ，３２０Ｂによって吸着されているために、そのフィルムシートＦがピンチローラ１８及び押圧ローラ１０８に当接して、ピンチローラホルダ６８が降下位置まで移動せずに維持される。従って、ドグ１１８がフォトカプラ１１４のセンシング部内に入った状態となる。このときに、フォトカプラ１１４からの電気信号をみると、信号が無い場合には、吸着ミスが生じてフィルムシートＦが脱落等し、ピンチローラホルダ６８が降下位置に戻ってしまったことがわかる。
【００７２】
次に、フィルム吸着手段３２０の取り付け位置変更に伴う配管ホース９０の組み付け替えについて説明する。
図１０はピンチローラホルダ６８を取り除いた枚葉アーム３１０の正面図である。
フィルム吸着手段３２０Ａ，３２０Ｂが吸着手段第１取り付け部８６に取り付けられている場合に、第３ホース９８の右端側に設けられた分岐部１０４は接続されることはない。そのため、この分岐部１０４の出口には、蓋１０２が着脱自在に取り付けられることにより閉塞される。そして、フィルム吸着手段３２０Ａ，３２０Ｂが吸着手段第２取り付け部８８に取り付けられる場合には、第２ホース９６の中央部に設けられた分岐部１０１には何も接続されず、第３ホース９８の右端側に設けられた分岐部１０４が用いられる。そのため、第２ホース９６の中央部に設けられた分岐部１０１の出口に蓋１０２が着脱自在に取り付けられることにより閉塞され、第３ホース９８の右端側に設けられた分岐部１０４にフィルム吸着手段３２０Ｂが装着される。このように、配管ホース９０は、単一構造で作製されるだけで、第１取り付け位置に対しても第２取り付け位置に対しても用いることができるので、面倒な配管作業を必要とせず、簡単に位置変更が可能となる。
【００７３】
上述したように、本発明に係るフィルムシート枚葉機構３００によれば、ピンチローラホルダ６８の枚葉アーム３１０への取り付け孔１１２Ａ，１１２Ｂを、フィルム吸着手段３２０Ａ，３２０Ｂの枚葉アーム３１０への取り付け孔１１０Ａ，１１０Ｂの位置に対して、枚葉アーム３１０の移動方向で前後にずらした位置とし、取り付け孔１１０Ａ，１１０Ｂ，１１２Ａ，１１２ＢをフィルムシートＦのサイズに応じて異なる位置に予め設けておくことにより、枚葉アーム３１０上でのフィルム吸着手段３２０Ａ，３２０Ｂとピンチローラ１８との配置自由度を高めることができる。これにより、各部材を機能重視で配置することが可能となる。また、フィルム吸着手段３２０Ａ，３２０Ｂとピンチローラホルダ６８との配置組み合わせが複数になるので、フィルムシート枚葉機構の部品配置を変更することで複数のフィルムサイズや向きに簡単に対応できる。また、フィルム吸着手段３２０Ａ，３２０Ｂとピンチローラ１８とを多数個配置できるようになると、フィルムシートＦの取り出し時において、フィルムシートＦ先端部の湾曲度を増大させることができ、その結果、同時に複数枚を保持した場合に、最上層の１枚目の下側のフィルムシート、即ち、２枚目以降のフィルムシートＦに対する剥離性を向上できる。従って、フィルムシートＦの枚葉動作を安定して正確に行えるようになる。
【００７４】
なお、本発明のフィルムシート枚葉機構及びこれを備えた熱現像記録装置１００は、前述した各実施形態に限定されるものではなく、適宜、変形、改良等が可能である。
例えば、センサとするフォトカプラとドグとの組み合わせは、図示したものに限定されず、各種のセンサを適宜利用することができる。
【図面の簡単な説明】
【００７５】
【図１】本発明に係るフィルムシート枚葉機構及びこれを備えた熱現像記録装置の一実施形態を示す熱現像記録装置の全体構造図である。
【図２】トレイの側部に組み付けられたフィルムシート枚葉機構を示す外観斜視図である。
【図３】枚葉アームの外観斜視図であって、（ａ）は図２のＧ方向から見た図で、（ｂ）は（ａ）に示す枚葉アームを裏側から見た図である。
【図４】フィルムシート枚葉機構の動作説明図であって、（ａ）はフィルム供給位置、（ｂ）はフィルム取り出し位置、（ｃ）はフィルム取り出し位置からフィルム供給位置まで移動したときの図である。
【図５】枚葉アームの上視図である。
【図６】枚葉アームの外観斜視図であって、（ａ）はフィルム吸着手段及びピンチローラホルダの第１取り付け位置での状態、（ｂ）は第２取り付け位置での状態を示す図である。
【図７】第１取り付け位置でのトレイとの位置関係を示す説明図である。
【図８】第２取り付け位置でのトレイとの位置関係を示す説明図である。
【図９】（ａ）はピンチローラホルダの上昇位置での外観斜視図、（ｂ）はピンチローラホルダの降下位置での外観斜視図である。
【図１０】ピンチローラホルダを取り除いた枚葉アームの正面図である。
【図１１】（ａ），（ｂ）は従来のフィルム枚葉機構の概略図である。
【符号の説明】
【００７６】
１８  ピンチローラ
２０  送りローラ
２４，２６，２８  トレイ
６８  ピンチローラホルダ
９０  配管ホース
１００  熱現像記録装置
１０１，１０４，１０６  分岐部（分岐栓）
１０８  押さえローラ
１１０Ａ，１１０Ｂ  取り付け孔
１１２Ａ，１１２Ｂ  枢支軸挿通孔（取り付け孔）
１１４  フォトカプラ（センサ）
１１８  ドグ
３００  フィルムシート枚葉機構
３１０  枚葉アーム
３２０Ａ，３２０Ｂ  フィルム吸着手段
Ｂ  露光部（画像露光部）
Ｃ  熱現像部
Ｆ，Ｆ１，Ｆ２  フィルムシート（熱現像記録材料）
【図１】
2006082956.tif 000003
【図２】
2006082956.tif 000004
【図３】
2006082956.tif 000005
【図４】
2006082956.tif 000006
【図５】
2006082956.tif 000007
【図６】
2006082956.tif 000008
【図７】
2006082956.tif 000009
【図８】
2006082956.tif 000010
【図９】
2006082956.tif 000011
【図１０】
2006082956.tif 000012
【図１１】
2006082956.tif 000013